(57)【特許請求の範囲】
【請求項１】
装置の設計工程での設計情報を入力する設計情報入力手段と、前記設計情報に基づいた装置構成品の情報を蓄積する装置構成データベースと、前記装置構成品に対する設計変更情報を蓄積する変更情報データベースと、前記装置の製造工程において前記装置構成品に変更が生じた時に前記変更情報データベースに対してその変更情報の登録を行う変更情報入力手段と、検査をする装置構成品の最新の変更情報を前記変更情報データベースから検索しかつ前記装置の検査工程において前記装置構成品に最新の変更が加えられたことの確認を行って当該装置構成品に対する変更情報を前記装置構成データベースに登録する第１の変更情報登録手段と、前記装置の出荷後に前記装置構成品に設計変更が生じた時に前記変更情報データベースに対してその変更情報の登録を行う第２の変更情報登録手段と、前記装置構成データベースの前記装置構成品の情報と前記変更情報データベースの前記設計変更情報とを連携させて前記装置構成品の情報と前記設計変更情報とを個別に管理する管理手段と、最新の変更が加えられていない装置構成品が存在する装置を前記装置構成データベースから抽出する手段と、その抽出された装置の情報を当該装置の情報に基づいて保守を行う保守者に通知する手段とを有することを特徴とする装置構成品設計変更管理システム。
【請求項２】
前記管理手段は、前記装置構成品の情報と前記変更情報とを別々にかつ前記装置構成品の識別情報を共通キーとして対応付けながら管理することを特徴とする請求項１記載の装置構成品設計変更管理システム。
【請求項３】
装置の設計工程での設計情報に基づいた装置構成品の情報を蓄積する装置構成データベースと、前記装置構成品に対する設計変更情報を蓄積する変更情報データベースとを含むシステムにおいて、前記装置の製造工程において前記装置構成品に変更が生じた時に前記変更情報データベースに対してその変更情報の登録を行うステップと、検査をする装置構成品の最新の変更情報を前記変更情報データベースから検索するステップと、前記装置の検査工程において前記装置構成品に最新の変更が加えられたことの確認を行って当該装置構成品に対する変更情報を前記装置構成データベースに登録するステップと、前記装置の出荷後に前記装置構成品に設計変更が生じた時に前記変更情報データベースに対してその変更情報の登録を行うステップと、前記装置構成データベースの前記装置構成品の情報と前記変更情報データベースの前記設計変更情報とを連携させて前記装置構成品の情報と前記設計変更情報とを個別に管理するステップと、最新の変更が加えられていない装置構成品が存在する装置を前記装置構成データベースから抽出するステップと、その抽出された装置の情報を当該装置の情報に基づいて保守を行う保守者に通知するステップとを有することを特徴とする装置構成品設計変更管理方法。
【請求項４】
前記装置構成品の情報と前記設計変更情報とを管理するステップは、前記装置構成品の情報と前記変更情報とを別々にかつ前記装置構成品の識別情報を共通キーとして対応付けながら管理することを特徴とする請求項３記載の装置構成品設計変更管理方法。
【発明の詳細な説明】
【０００１】
【発明の属する技術分野】
本発明は装置構成品設計変更管理システム及びそれに用いる装置構成品設計変更管理方法に関し、特に装置を構成する装置構成品の情報の管理に関する。
【０００２】
【従来の技術】
従来、この種の管理方法においては、手作業で部品表や変更メモ等の作成を行うと、部品の変更があった時に、部品表の修正や変更メモ等の作成に時間がかかってしまうという問題がある。
【０００３】
この問題を解決するために、特開平４−２７８６７１号公報に開示された技術では、部品や構成情報を設計情報データベースで一元管理しており、これによって部品管理作業を短時間でかつ正確に行えるようにしている。
【０００４】
【発明が解決しようとする課題】
従来の装置構成品の情報の管理方法では、客先に対して最新の変更が装置構成品に行われたことを保証する必要性があるので、変更情報と装置構成品の情報とを効率的に管理する必要が生じている。
【０００５】
また、装置の出荷後、客先に出荷された装置の保守のためには出荷後に発行された最新の変更を装置構成品に行うことが必要となっている。これらの問題は、上記公報記載の技術のように、設計段階での変更を主としかつ設計情報データベースのみで一元管理する方法では解決することが困難である。
【０００６】
そこで、本発明の目的は上記の問題点を解消し、装置構成品の変更情報の管理作業を迅速かつ正確に行うことができ、保守すべき製品を容易に管理することができる装置構成品設計変更管理システム及びそれに用いる装置構成品設計変更管理方法を提供することにある。
【０００７】
【課題を解決するための手段】
本発明による装置構成品設計変更管理システムは、装置の設計工程での設計情報を入力する設計情報入力手段と、前記設計情報に基づいた装置構成品の情報を蓄積する装置構成データベースと、前記装置構成品に対する設計変更情報を蓄積する変更情報データベースと、前記装置の製造工程において前記装置構成品に変更が生じた時に前記変更情報データベースに対してその変更情報の登録を行う変更情報入力手段と、検査をする装置構成品の最新の変更情報を前記変更情報データベースから検索しかつ前記装置の検査工程において前記装置構成品に最新の変更が加えられたことの確認を行って当該装置構成品に対する変更情報を前記装置構成データベースに登録する第１の変更情報登録手段と、前記装置の出荷後に前記装置構成品に設計変更が生じた時に前記変更情報データベースに対してその変更情報の登録を行う第２の変更情報登録手段と、前記装置構成データベースの前記装置構成品の情報と前記変更情報データベースの前記設計変更情報とを連携させて前記装置構成品の情報と前記設計変更情報とを個別に管理する管理手段と、最新の変更が加えられていない装置構成品が存在する装置を前記装置構成データベースから抽出する手段と、その抽出された装置の情報を当該装置の情報に基づいて保守を行う保守者に通知する手段とを備えている。
【０００８】
本発明による装置構成品設計変更管理方法は、装置の設計工程での設計情報に基づいた装置構成品の情報を蓄積する装置構成データベースと、前記装置構成品に対する設計変更情報を蓄積する変更情報データベースとを含むシステムにおいて、前記装置の製造工程において前記装置構成品に変更が生じた時に前記変更情報データベースに対してその変更情報の登録を行うステップと、検査をする装置構成品の最新の変更情報を前記変更情報データベースから検索するステップと、前記装置の検査工程において前記装置構成品に最新の変更が加えられたことの確認を行って当該装置構成品に対する変更情報を前記装置構成データベースに登録するステップと、前記装置の出荷後に前記装置構成品に設計変更が生じた時に前記変更情報データベースに対してその変更情報の登録を行うステップと、前記装置構成データベースの前記装置構成品の情報と前記変更情報データベースの前記設計変更情報とを連携させて前記装置構成品の情報と前記設計変更情報とを個別に管理するステップと、最新の変更が加えられていない装置構成品が存在する装置を前記装置構成データベースから抽出するステップと、その抽出された装置の情報を当該装置の情報に基づいて保守を行う保守者に通知するステップとを備えている。
【０００９】
すなわち、本発明の装置構成品設計変更管理システムは、装置構成品の情報と設計変更情報とを個別に管理しながら連携を持たせており、装置構成品の情報と設計変更情報とを装置構成品の識別情報で互いに対応付けて管理することによって、出荷時の装置構成品の変更の管理を正確に行うことが可能となり、製品の品質を保証することが可能となる。
【００１０】
また、出荷後に設計変更が発生しても、装置構成品が含まれている装置が明確になり、変更を行っていない装置を抽出することも可能となるので、保守すべき製品を容易に管理することが可能となり、出荷製品の保守も敏速に行うことが可能となる。
【００１１】
【発明の実施の形態】
次に、本発明の一実施例について図面を参照して説明する。図１は本発明の一実施例による装置構成品設計変更管理システムの構成を示すブロック図である。図において、本発明の一実施例による装置構成品設計変更管理システムは構成品技術変更管理部１と、設計情報入力部２と、設計情報データベース３と、変更情報入力部４と、変更情報登録部５，７と、装置情報通知部６とから構成されている。
【００１２】
設計情報入力部２からは装置の設計工程での設計情報が入力され、設計情報データベース３は設計情報入力部２から入力される設計情報を管理するデータベースである。変更情報入力部４は装置の設計工程及び製造工程での装置構成品に設計変更が生じた場合、その変更情報の登録を行う。
【００１３】
構成品技術変更管理部１は装置構成品の情報を管理する装置構成データベース１１と、設計変更情報を管理する変更情報データベース１２とから構成され、装置構成品の情報と設計変更情報とを互いに連携させながら個別に管理する。この場合、装置構成データベース１１と変更情報データベース１２とは装置構成品に予め付された装置構成品ＩＤ（識別情報）を共通キーとして互いに対応付けられており、装置構成品ＩＤによって互いに連携させながら個別に管理される。また、装置構成データベース１１は装置構成品の情報を設計情報データベース３から受取る。
【００１４】
変更情報登録部５は検査工程で装置構成品に変更が加えられたことの確認を行って登録し、変更情報登録部７は出荷後、装置構成品に設計変更が生じた場合、その情報の登録を行う。装置情報通知部６は最新の変更が行われていない装置情報を通知し、保守者は出荷後、装置情報通知部６からの装置情報を基に装置構成品を保守する。
【００１５】
図２は本発明の一実施例による装置構成品設計変更管理システムの動作を示すフローチャートである。これら図１及び図２を参照して本発明の一実施例による装置構成品設計変更管理システムの動作について説明する。
【００１６】
まず、設計情報入力部２からは設計工程において設計者による設計情報が入力され、設計情報データベース３に送られる（図２ステップＳ１）。設計情報データベース３には設計情報入力部２から送られてきた設計情報が登録され、その設計情報に基づいた装置構成品の情報を装置構成データベース１１に出力する（図２ステップＳ２）。
【００１７】
装置の製造工程において装置構成品に変更が生じた場合（図２ステップＳ３）、利用者が変更情報入力部４から装置構成品の変更情報を変更情報データベース１２に入力する（図２ステップＳ４）。利用者は変更情報登録部５によって検査をする装置構成品の最新の変更情報を変更情報データベース１２から検索する（図２ステップＳ５）。但し、製造工程において装置構成品に変更が生じていない場合（図２ステップＳ３）、ステップＳ５に遷移する。
【００１８】
利用者は装置の検査工程において装置構成品に最新の変更が加えられていることを確認し、装置構成品に対する変更情報を変更情報登録部５から個別に装置構成データベース１１に登録する（図２ステップＳ６）。
【００１９】
装置の出荷後、装置構成品に対して設計変更が行われた場合（図２ステップＳ７）、利用者はその変更情報を変更情報登録部７から変更情報データベース１２に登録する（図２ステップＳ８）。
【００２０】
利用者は装置情報通知部６によって装置構成データベース１１から、最新の変更が加えられていない装置構成品が存在する装置をすべて抽出し（図２ステップＳ９）、その抽出結果に基づきかつ最新の変更が行われていない装置情報を、その装置情報を基に保守を行う保守者に通知する（図２ステップＳ１０）。但し、装置の出荷後に装置構成品に対して設計変更が行われていない場合（図２ステップＳ７）、ステップＳ９に遷移する。
【００２１】
このように、装置構成品に対して変更情報の実績を登録する時に、変更情報データベース１２を使用することによって、装置構成品の変更情報の管理作業を迅速かつ正確に行うことができる。
【００２２】
また、装置の出荷後に設計変更が発生しても、設計変更された装置構成品を含む装置が明確になり、その設計変更が反映されていない装置を抽出することもできるので、保守すべき製品を容易に管理することができ、出荷製品の保守も敏速に行うことができる。
【００２３】
【発明の効果】
以上説明したように本発明によれば、装置構成品の情報を蓄積する装置構成データベースと、装置構成品に対する設計変更情報を蓄積する変更情報データベースとを含むシステムにおいて装置構成データベースの装置構成品の情報と変更情報データベースの設計変更情報とを連携を持たせて個別に管理することによって、装置構成品の変更情報の管理作業を迅速かつ正確に行うことができ、保守すべき製品を容易に管理することができるという効果がある。
【図面の簡単な説明】
【図１】本発明の一実施例による装置構成品設計変更管理システムの構成を示すブロック図である。
【図２】本発明の一実施例による装置構成品設計変更管理システムの動作を示すフローチャートである。
【符号の説明】
１  構成品技術変更管理部
２  設計情報入力部
３  設計情報データベース
４  変更情報入力部
５，７  変更情報登録部
６  装置情報通知部
１１  装置構成データベース
１２  変更情報データベース
【図１】
0004009422.tif 000002
【図２】
0004009422.tif 000003